(57)【要約】【課題】単リール型のテープカートリッジにおいて、リーダーテープのテープエンドに設けた係合溝や掛止片が、テープ巻き戻し時に破損するのを解消し、耐久性の向上を図る。【解決手段】前面のローディング開口６に臨むケース本体１の内部に、リーダーテープ４のテープエンド部２０に設けた掛止片１７を誘導案内するガイド溝２３と、テープエンド部２０の係合溝１８を係合捕捉するストッパー爪２４とが隣接して配置されている。ストッパー爪２４には、テープエンド部２０と接触してリーダーテープ４を制動するための摩擦制動体３２を設ける。【選択図】　　　　図１
2004055036.tif 000002
【特許請求の範囲】
【請求項１】
ケース本体の内部に磁気テープを巻き取る１個のリールが収容されており、前記リールに巻かれた磁気テープの繰り出し端にリーダーテープを接続してあるテープカートリッジであって、
前記リーダーテープの端部には、テープドライブ側の捕捉具の掛け止めを許す連結孔と、上下一対の掛止片と、係合溝とを備えたテープエンド部が設けられており、
ローディング開口に臨むケース本体の内部に、前記掛止片を誘導案内するガイド溝と、前記係合溝を係合捕捉するストッパー爪とが隣接して配置されており、前記ガイド溝と、前記ストッパー爪との少なくともいずれか一方に、前記テープエンド部と接触して前記リーダーテープを制動するための摩擦制動体が設けられていることを特徴とする単リール型のテープカートリッジ。
【請求項２】
前記摩擦制動体が、前記ガイド溝と前記ストッパー爪との少なくともいずれか一方に一体に形成されている請求項１記載の単リール型のテープカートリッジ。
【請求項３】
前記摩擦制動体が、弾性材で形成されていて、前記ガイド溝と前記ストッパー爪との少なくともいずれか一方に装着されている請求項１記載の単リール型のテープカートリッジ。
【請求項４】
前記ストッパー爪が、前記係合溝内に進入係合するフック部と、前記フック部に捕捉溝を介して対向する腕部とを備えており、
前記腕部に傾斜面からなる前記摩擦制動体が一体に形成されており、
前記捕捉溝の奥端寄りにおける、前記摩擦制動体と前記ストッパー爪との対向隙間が、テープエンド部のテープ厚み寸法より僅かに小さく設定されている請求項１記載の単リール型のテープカートリッジ。
【請求項５】
前記ガイド溝が、内溝壁と外溝壁とで構成されており、
前記外溝壁に、傾斜面からなる前記摩擦制動体が一体に形成されており、
前記ガイド溝の奥端寄りにおける、前記摩擦制動体と前記内溝壁との対向隙間が、テープエンド部のテープ厚み寸法より僅かに小さく設定してある請求項１記載の単リール型のテープカートリッジ。
【発明の詳細な説明】
【０００１】
【発明の属する技術分野】
本発明は、磁気テープの繰り出し端にリーダーテープを接続してある単リール型のテープカートリッジに関する。
【０００２】
【従来の技術】
この種のテープカートリッジにおいては、例えば特表昭６２−５０２６４１号公報や、特開平８−６３９４０号公報に見られるように、テープドライブ側の捕捉具でリーダーテープを捕捉連結して磁気テープを出し入れ操作する。そのために、リーダーテープの端部に鍵穴状の連結孔を備えた舌片部を有する。舌片部のテープ上下縁には、不使用時の舌片部を位置決め保持するための掛止片が形成されており、これら掛止片の近傍のテープ面中央にスリット状の係合溝が形成されている。ケース本体のローディング開口の内部にはストッパー爪を設けてあり、このストッパー爪が先の係合溝と係合することにより、テープの巻き込み限界を規定している。
【０００３】
【発明が解決しようとする課題】
多くの場合、リーダーテープは磁気テープより若干分厚いプラスチックシートからなり、テープドライブの捕捉具による出し入れ操作に耐えられるシート強度を有する。しかし、テープカートリッジの使用期間が長期にわたり、あるいはテープカートリッジの累積使用回数が一定数を越えると、舌片部、掛止片、あるいは係合溝などに損傷を招きやすい。とくに、テープ巻き戻し時には、高速度で巻き込まれるテープがストッパー爪に捕捉されて急停止するため、係合溝の溝端に大きな衝撃力が作用し、溝端に連続して亀裂が生じたり、あるいは掛止片が破損したりすることがある。
【０００４】
本発明の目的は、リーダーテープの巻き戻し時において、その係合溝がストッパー爪で捕捉されて停止するまでの間にリーダーテープを摩擦制動して、掛止片、あるいは係合溝などに大きな衝撃力が作用するのを解消し、これらテープエンド部構造体の破損を防止でき、長期使用時にも支障なく使用できるテープカートリッジを提供することにある。
【０００５】
【課題を解決するための手段】
本発明は、図２に示すごとくケース本体１の内部に磁気テープ３を巻き取る１個のリール２が収容されており、リール２に巻かれた磁気テープ３の繰り出し端にはリーダーテープ４を接続してあるテープカートリッジであって、リーダーテープ４の端部には、図３に示すごとくテープドライブ側の捕捉具の掛け止めを許す連結孔１６と、上下一対の掛止片１７と、係合溝１８とを備えたテープエンド部２０が設けられている。ローディング開口６に臨むケース本体１の内部には、図１に示すごとく掛止片１７を誘導案内するガイド溝２３と、係合溝１８を係合捕捉するストッパー爪２４とが隣接して配置されており、ガイド溝２３と、ストッパー爪２４との少なくともいずれか一方に、テープエンド部２０と接触してリーダーテープ４を制動するための摩擦制動体３２が設けられていることを特徴とする。
【０００６】
摩擦制動体３２は、ガイド溝２３とストッパー爪２４との少なくともいずれか一方に一体に形成することができる。尤も、摩擦制動体３２は、図６に示すごとく弾性材で形成して、ガイド溝２３とストッパー爪２４との少なくともいずれか一方に装着してあってもよい。
【０００７】
更に具体的には、ストッパー爪２４が、係合溝１８内に進入係合するフック部２７と、フック部２７に捕捉溝３０を介して対向する腕部２６とを備えており、この腕部２６に、図７に示すごとく傾斜面からなる摩擦制動体３２を一体に形成することができる。そこでは、捕捉溝３０の奥端寄りにおける、摩擦制動体３２とフック部２７の対向隙間が、テープエンド部２０のテープ厚み寸法より僅かに小さく設定されている。
【０００８】
またガイド溝２３は、内溝壁２３ａと外溝壁２３ｂとで構成し、外溝壁２３ｂに、図１１に示すごとく傾斜面からなる摩擦制動体３２を一体に形成することができる。そこでは、ガイド溝２３の奥端寄りにおける、摩擦制動体３２と内溝壁２３ａとの対向隙間が、テープエンド部２０のテープ厚み寸法より僅かに小さく設定されている。
【０００９】
【発明の作用効果】
本発明では、ローディング開口６に臨むケース本体１の内部に設けたガイド溝２３と、ストッパー爪２４との少なくともいずれか一方に、テープエンド部２０と接触してリーダーテープ４を制動するための摩擦制動体３２を設けて、リーダーテープ４がリール２に巻き込まれる際に摩擦制動体３２で摩擦抵抗を与えて、リーダーテープ４の移動速度を減少し、停止衝撃を吸収緩和する。
【００１０】
従って、本発明によれば、リーダーテープ４が巻き戻され、その係合溝１８がストッパー爪２４で捕捉されて停止するまでの間にリーダーテープ４を摩擦制動して、掛止片１７や係合溝１８などに大きな衝撃力が局部的に作用するのを解消して、これらテープエンド部構造体の破損を防止でき、長期使用時にも支障なく使用できる耐久性に優れたテープカートリッジが得られる。
【００１１】
摩擦制動体３２が、ガイド溝２３とストッパー爪２４との少なくともいずれか一方に一体に形成されていると、部材点数が増加するのを避けながらリーダーテープ４を有効に摩擦制動でき、その分だけテープカートリッジの製造コストの削減化を図れる。
【００１２】
摩擦制動体３２は、図６に示すごとく弾性材で形成して、ガイド溝２３とストッパー爪２４との少なくともいずれか一方に摩擦制動体３２が固定されていると、摩擦制動体３２の弾性力でリーダーテープ４に制動力を付与できるので、弾性材を適宜選定することによって、リーダーテープ４に作用させる摩擦力の大きさと、制動面３３が弾性変形するときの弾性力の変化率とを変更できる利点がある。また、摩擦制動体３２の制動面３３の幅寸法を任意量に設定できるので、テープエンド部２０のテープ幅方向の全面に対して制動力が作用し、リーダーテープ４を効果的に制動できる点でも有利である。
【００１３】
ストッパー爪２４におけるフック部２７と対向する腕部２６に、図７に示すごとく傾斜面からなる摩擦制動体３２を形成し、捕捉溝３０の奥端寄りにおける、摩擦制動体３２とフック部２７の対向隙間が、テープエンド部２０のテープ厚み寸法より僅かに小さく設定されている制動構造によれば、フック部２７に係合捕捉された係合溝１８の溝端が、捕捉溝３０の奥端に近付くに従って、係合溝１８の溝端縁が摩擦制動体３２とフック部２７との間に喰い込んで、リーダーテープ４を強制的に制動して停止させることができる。従って、係合溝１８が捕捉溝３０の奥端に衝突するのを確実に阻止できる。
【００１４】
図１１に示すごとくガイド溝２３の外溝壁２３ｂに、傾斜面からなる摩擦制動体３２を形成し、ガイド溝２３の奥端寄りにおける、摩擦制動体３２と内溝壁２３ａとの対向隙間が、テープエンド部２０のテープ厚み寸法より僅かに小さく設定されている制動構造によれば、掛止片１７が、ガイド溝２３の奥端に近付くに従って、掛止片１７が摩擦制動体３２と内溝壁２３ａとの間に喰い込んで、リーダーテープ４を強制的に制動し停止させる。従って、掛止片１７がガイド溝２３の奥端に衝突するのを確実に阻止できる。
【００１５】
【実施例】
（実施例１）　図１ないし図５は本発明に係る単リール型のテープカートリッジの実施例を示す。図２においてテープカートリッジは、上下ケース１ａ・１ｂを蓋合わせ状に結合してなる角箱状のケース本体１の内部に１個のリール２が収容されている。リール２には磁気テープ３を巻装してあり、その繰り出し端に磁気テープ３を引き出し操作するリーダーテープ４が連結されている。
【００１６】
図２および図３においてケース本体１の前面には、ケース前面の大半を占めるローディング開口６が開口している。このローディング開口６はケース本体１に開閉可能に支持されたドア７で覆うことができる。ドア７は支軸８に嵌装したばね９で閉じ勝手に揺動付勢されている。図２においてケース本体１の内部には、不使用時におけるリール２の遊転を規制してテープたるみを防ぐ２個のリールロック１０・１１と、誤消去を防ぐ切換えピース１２などを備えている。リール２のボス部底壁と上ケース１ａとの間には、リール２を下ケース１ｂへ向かって押し下げ付勢するばね１３と、ばね１３の下端のボールブロックを受け止めるベアリング１４とが設けてある。
【００１７】
図３においてリーダーテープ４の端部には、鍵穴状の連結孔１６と、上下一対の掛止片１７と、係合溝１８とを備えたテープエンド部２０が設けられている。連結孔１６には、テープドライブ側の捕捉具が掛け止め連結される。掛止片１７は、後述するガイド溝２３に誘導案内されて、リール２に巻き込まれたリーダーテープ４のテープエンド部２０を位置決め保持する。係合溝１８には、後述するストッパー爪２４のフック部２７が係合して、リーダーテープ４の巻き込み限界を規定する。
【００１８】
図３においてリーダーテープ４は、ローディング開口６に向かって左端のテープ引出し口２２からケース外へ引き出される。このテープ引出し口２２に臨むケース内部には、掛止片１７を誘導案内するガイド溝２３と、係合溝１８を係合捕捉するストッパー爪２４とが設けてある。図４においてガイド溝２３は、上下ケース１ａ・１ｂの内面上下に形成されており、部分円弧状の高さが低いリブ壁からなる内溝壁２３ａと、上下ケース１ａ・１ｂの周側壁と同じ高さに突設された外溝壁２３ｂとで区画形成する。
【００１９】
ストッパー爪２４は、図４に示すごとく横断面が矢印状に形成された基部２５と、基部２５の下端一側から張り出し形成した腕部２６と、腕部２６の先端から突出するフック部２７とを一体に形成したプラスチック成形品である。上ケース１ａの外溝壁２３ｂと周側壁との間には三角形状の装着凹部２８を形成してあり、この装着凹部２８に基部２５を圧嵌装着することにより、ストッパー爪２４は上ケース１ａに一体化して組み付ける。
【００２０】
上下ケース１ａ・１ｂを接合した状態においては、腕部２６の上下面が上下の外溝壁２３ｂで挟持固定されており、フック部２７はリーダーテープ４の係合溝１８の移動軌跡に臨む。フック部２７の突出基端の上下には、掛止片１７と協同してテープエンド部２０の保持姿勢を位置決めする規制突起２９が設けられている。符号３０はフック部２７と腕部２６の間に形成された捕捉溝である。
【００２１】
磁気テープ３およびリーダーテープ４がリール２に高速度で巻き込まれる際に、リーダーテープ４はストッパー爪２４で捕捉されて急停止したり、あるいは掛止片１７がガイド溝２３の溝端に衝突したりするのを避ける必要がある。そのために、捕捉溝３０に臨む腕部２６の溝縁には、ブロック状の摩擦制動体３２が一体に設けられている。摩擦制動体３２は捕捉溝３０を通過するテープエンド部２０の移動軌跡と交差しており、その突端の制動面３３とフック部２７との対向隙間は、リーダーテープ４の厚み寸法と同じか、これより僅かに大きく設定してある。
【００２２】
リーダーテープ４が図５に示すごとくリール２に巻き込まれるとき、リーダーテープ４は自己の弾性によってリール２から離れる向きへ戻ろうする。そのため、想像線で示すようにテープエンド部２０の外面はフック部２７に接当した状態で巻き込まれ、やがて実線で示すようにフック部２７の先端が係合溝１８内へ入り込む。
【００２３】
以後のテープエンド部２０は、リール２の周囲のテープ巻面とフック部２７とを最短距離で結ぶ軌跡に沿って移動しようとするが、捕捉溝３０内に摩擦制動体３２を設けてあるので、テープエンド部２０は摩擦制動体３２の制動面３３に押し付けられた状態で移動するしかなく、このときの摩擦抵抗によってリーダーテープ４の移動速度が急激に減じられる。その結果、係合溝１８が捕捉溝３０の奥端に激突するのを防止でき、さらに掛止片１７がガイド溝２３の奥端に衝突するのを解消できる。
【００２４】
要するに、係合溝１８がストッパー爪２４で捕捉されて停止するまでの間に、リーダーテープ４は摩擦制動体３２による摩擦制動を受け、掛止片１７や係合溝１８などに大きな衝撃力が作用するのを解消し、これらテープエンド部構造体の破損が防止される。
【００２５】
（実施例２）　図６は本発明に係る摩擦制動体３２の実施例２を示す。そこでは、摩擦制動体３２がプラスチック製、あるいは金属製の板ばねなどの弾性材で形成されており、捕捉溝３０に臨む腕部２６の開口端側に装着固定されている。詳しくは、弾性材を断面コ字状に形成して摩擦制動体３２とし、その遊端側の制動面３３がフック部２７と対向する状態で、摩擦制動体３２の基端側を腕部２６に接着固定してある。
【００２６】
この場合の摩擦制動体３２は、制動面３３の上下幅寸法をテープエンド部２０の幅寸法と同じにすることができる。このように広幅化した制動面３３でリーダーテープ４を摩擦制動すると、さらに効果的にリーダーテープ４を制動し減速させることができる。その他の構成は先の実施例１と同じであるので、同じ部材には同じ符号を付してその説明を省略する。以下の実施例においても同じ扱いとする。
【００２７】
（実施例３）　図７は本発明に係る摩擦制動体３２のさらに異なる実施例３を示す。そこでは、捕捉溝３０の腕部２６側の溝側壁を傾斜させて摩擦制動体３２とした。捕捉溝３０の溝幅は、開口端側においてはリーダーテープ４の厚み寸法より大きいが、溝奥端における溝幅、即ち摩擦制動体３２とフック部２７との対向隙間は、テープエンド部２０のテープ厚み寸法より僅かに小さく設定してある。従って、フック部２７に係合捕捉された係合溝１８の溝端が、捕捉溝３０の奥端に近付くに従って、係合溝１８の溝端縁が摩擦制動体３２とフック部２７との間に喰い込んで行き、このときの摩擦抵抗でリーダーテープ４を制動し減速させることができる。
【００２８】
（実施例４）　上記の各実施例では、摩擦制動体３２をストッパー爪２４側に設けたが、図８から図１１に示すごとくガイド溝２３側に摩擦制動体３２を設けて、リーダーテープ４を制動し減速させてもよい。例えば、図８および図９の実施例４では、上下ケース１ａ・１ｂに設けた外溝壁２３ｂの内面に、それぞれ実施例１と同様のブロック状の摩擦制動体３２を一体に設けて、ガイド溝２３に沿って移動する掛止片１７を摩擦制動体３２の制動面３３で押さえ付けることにより、テープエンド２０を制動できるようにした。
【００２９】
（実施例５）　図１０の実施例５においては、実施例２と同様に摩擦制動体３２をプラスチック製、あるいは金属製の板ばねなどの弾性材で形成して、上下ケース１ａ・１ｂに設けた外溝壁２３ｂの内面のそれぞれに嵌め込み固定した。ここでの摩擦制動体３２は、ガイド溝２３に沿って移動する掛止片１７を制動面３３で押さえ付けることにより、テープエンド２０を制動できる。
【００３０】
（実施例６）　図１１の実施例６においては、上下ケース１ａ・１ｂに設けた外溝壁２３ｂの内面に、それぞれ摩擦制動体３２を一体に設けた。ここでの摩擦制動体３２は、溝開口側の導入案内面３５と傾斜制動面３６とを備えており、傾斜制動面３６の溝幅は、ガイド溝２３の奥端に近付くほどリーダーテープ４の厚み寸法より僅かに小さく設定してある。従って掛止片１７が、ガイド溝２３の奥端に近付くに従って、掛止片１７が摩擦制動体３２と内溝壁２３ａとの間に喰い込み、このときの摩擦抵抗によってリーダーテープ４を制動し減速させることができる。
【００３１】
上記以外に、摩擦制動体３２は、ストッパー爪２４とガイド溝２３との双方に設けておくことができる。摩擦制動体３２は、板ばね以外の弾性材で形成することができ、例えばゴムや、フェルト塊などの繊維ブロック、あるいは皮革などで形成されていてもよい。
【図面の簡単な説明】
【図１】ストッパー爪とリーダーテープとの係合構造を示す要部の横断平面図
【図２】内部の全体の平面図
【図３】リーダーテープを引き出した状態での正面図
【図４】テープ引出し口をケース内部側から見た分解斜視図図
【図５】ストッパー爪とリーダーテープの係合構造を示す要部の横断平面図
【図６】実施例２に係るストッパー爪の周辺構造を示す要部の横断平面図
【図７】実施例３に係るストッパー爪の周辺構造を示す要部の横断平面図
【図８】実施例４に係るストッパー爪の周辺構造を示す要部の横断平面図
【図９】図８におけるＤ−Ｄ線断面図
【図１０】実施例５に係るストッパー爪の周辺構造を示す要部の横断平面図
【図１１】実施例６に係るストッパー爪の周辺構造を示す要部の横断平面図
【符号の説明】
１　ケース本体
２　リール
３　磁気テープ
４　リーダーテープ
６　ローディング開口
１６　連結孔
１７　掛止片
１８　係合溝
２０　テープエンド部
２３　ガイド溝
２３ａ　ガイド溝の内溝壁
２３ｂ　ガイド溝の外溝壁
２４　ストッパー爪
２６　腕部
２７　フック部
３０　捕捉溝
３２　摩擦制動体
【図１】
2004055036.tif 000003
【図２】
2004055036.tif 000004
【図３】
2004055036.tif 000005
【図４】
2004055036.tif 000006
【図５】
2004055036.tif 000007
【図６】
2004055036.tif 000008
【図７】
2004055036.tif 000009
【図８】
2004055036.tif 000010
【図９】
2004055036.tif 000011
【図１０】
2004055036.tif 000012
【図１１】
2004055036.tif 000013